(57)【要約】  空気調和機のリモートコントローラは、室外機と、室外機と配管により接続され室内の空気を調整する室内機とを有する空気調和機に用いられ、室内機との間で双方向の通信を行う空気調和機のリモートコントローラであって、７セグメントが２個以上並べられる第１のセグメント表示部と、７セグメントが２個以上並べられる第２のセグメント表示部と、室外機又は室内機の故障を診断する故障モードにおいて、室外機又は室内機のいずれを診断するかを指示する送信コードを第１のセグメント表示部に表示させ、室内機から受信した室外機又は室内機の診断内容を示すエラーコードを第２のセグメント表示部に表示させる制御部と、を備える。
2019244356.tif 000002
【特許請求の範囲】
【請求項１】
室外機と、前記室外機と配管により接続され室内の空気を調整する室内機とを有する空気調和機に用いられ、前記室内機との間で双方向の通信を行う空気調和機のリモートコントローラであって、
７セグメントが２個以上並べられる第１のセグメント表示部と、
７セグメントが２個以上並べられる第２のセグメント表示部と、
前記室外機又は前記室内機の故障を診断する故障モードにおいて、前記室外機又は前記室内機のいずれを診断するかを指示する送信コードを前記第１のセグメント表示部に表示させ、前記室内機から受信した前記室外機又は前記室内機の診断内容を示すエラーコードを前記第２のセグメント表示部に表示させる制御部と、
を備える空気調和機のリモートコントローラ。
【請求項２】
前記第２のセグメント表示部は、
前記第１のセグメント表示部よりも大きい
請求項１記載の空気調和機のリモートコントローラ。
【請求項３】
前記制御部は、
前記空気調和機が空調を行う際の通常モードにおいて、前記室内機の設定温度を前記第２のセグメント表示部に表示させるものである
請求項１又は２記載の空気調和機のリモートコントローラ。
【請求項４】
前記制御部は、
前記空気調和機が空調を行う際の通常モードにおいて、現在時刻又はタイマー時刻を前記第１のセグメント表示部に表示するものである
請求項１〜３のいずれか１項に記載の空気調和機のリモートコントローラ。
【請求項５】
前記室内機の風速を表示する複数のセグメントを有する風速表示部と、
前記室内機の風向を表示する複数のセグメントを有する風向表示部と、を備え、
前記制御部は、
前記故障モードにおいて、前記風速表示部及び前記風向表示部の全てのセグメントを点灯させるものである
請求項１〜４のいずれか１項に記載の空気調和機のリモートコントローラ。
【発明の詳細な説明】
【技術分野】
【０００１】
本発明は、室内機との間で双方向の通信を行う空気調和機のリモートコントローラに関する。
【背景技術】
【０００２】
従来、空気調和機の動作をコントロールすることを目的として、室内機とリモートコントローラとの間で、室温状態等の情報を送受信する双方向通信が行われる空気調和機が知られている。また、室外機又は室内機が故障している可能性がある場合、ユーザは、リモートコントローラから室内機に、室外機又は室内機の故障を診断するよう指示を出すと、室内機から、故障の内容を表示するエラーコードが送信され、リモートコントローラは、受信したエラーコードを表示する。その際、リモートコントローラは、室外機又は室内機のいずれの故障を診断するかを示す送信コードも表示する。即ち、リモートコントローラは、送信コード及びエラーコードを表示することが求められている。特許文献１には、液晶表示画面の一部にドットマトリクス表示部が設けられた空気調和機のリモートコントローラが開示されている。
【先行技術文献】
【特許文献】
【０００３】
【特許文献１】特開２００７−１０１１７４号公報
【発明の概要】
【発明が解決しようとする課題】
【０００４】
特許文献１に開示された空気調和機のリモートコントローラは、ドットマトリクス表示部を有しているため、送信コード及びエラーコードを表示することができる。しかしながら、ドットマトリクス表示部は、基板の配線が複雑であり、演算素子が大型化するためリモートコントローラが大型化してしまう。また、ドットマトリクス表示部は、予め表示される部位に印刷が施されているセグメント表示部に比べて高価である。【０００５】
本発明は、上記のような課題を解決するためになされたもので、ドットマトリクス表示部よりも安価なセグメント表示部を用いて大型化を抑制しても、送信コード及びエラーコードを表示することができる空気調和機のリモートコントローラを提供するものである。
【課題を解決するための手段】
【０００６】
本発明に係る空気調和機のリモートコントローラは、室外機と、室外機と配管により接続され室内の空気を調整する室内機とを有する空気調和機に用いられ、室内機との間で双方向の通信を行う空気調和機のリモートコントローラであって、７セグメントが２個以上並べられる第１のセグメント表示部と、７セグメントが２個以上並べられる第２のセグメント表示部と、室外機又は室内機の故障を診断する故障モードにおいて、室外機又は室内機のいずれを診断するかを指示する送信コードを第１のセグメント表示部に表示させ、室内機から受信した室外機又は室内機の診断内容を示すエラーコードを第２のセグメント表示部に表示させる制御部と、を備える。
【発明の効果】
【０００７】
本発明によれば、制御部は、故障モードにおいて、送信コードを第１のセグメント表示部に表示させ、エラーコードを第２のセグメント表示部に表示させる。このように、空気調和機のリモートコントローラは、ドットマトリクス表示部よりも安価なセグメント表示部を用いて大型化を抑制しても、送信コード及びエラーコードを表示することができる。
【図面の簡単な説明】
【０００８】
【図１】本発明の実施の形態１に係る空気調和機１００を示す回路図である。
【図２】本発明の実施の形態１に係る室内機２及びリモートコントローラ１を示す斜視図である。
【図３】本発明の実施の形態１に係る空気調和機１００のハードウエア構成図である。
【図４】本発明の実施の形態１に係る空気調和機１００の操作部５を示す模式図である。
【図５】本発明の実施の形態１に係る空気調和機１００の通常モード時の表示部４を示す模式図である。
【図６】本発明の実施の形態１に係る空気調和機１００の故障モード時の表示部４を示す模式図である。
【図７】本発明の実施の形態１に係る空気調和機１００の故障モード時の表示部４を示す模式図である。
【図８】本発明の実施の形態１に係るリモートコントローラ１の故障モード時の動作を示すフローチャートである。
【発明を実施するための形態】
【０００９】
実施の形態１．
以下、本発明に係る空気調和機のリモートコントローラの実施の形態について、図面を参照しながら説明する。図１は、本発明の実施の形態１に係る空気調和機１００を示す回路図である。図１に示すように、空気調和機１００は、室内空間の空気を調整する装置であり、室外機６と、室外機６と通信可能な室内機２と、リモートコントローラ１とを備えている。室外機６には、圧縮機７１、流路切替装置７２、室外熱交換器７３、室外送風機７４及び膨張部７５が設けられている。室内機２には、室内熱交換器７６及び室内送風機７７が設けられている。
【００１０】
圧縮機７１、流路切替装置７２、室外熱交換器７３、膨張部７５及び室内熱交換器７６が配管により接続されて冷媒回路７０が構成されている。圧縮機７１は、低温低圧の状態の冷媒を吸入し、吸入した冷媒を圧縮して高温高圧の状態の冷媒にして吐出するものである。流路切替装置７２は、冷媒回路７０において冷媒が流れる方向を切り替えるものであり、例えば四方弁である。室外熱交換器７３は、例えば室外空気と冷媒との間で熱交換するものである。室外熱交換器７３は、冷房運転時には凝縮器として作用し、暖房運転時には蒸発器として作用する。
【００１１】
室外送風機７４は、室外熱交換器７３に室外空気を送る機器である。膨張部７５は、冷媒を減圧して膨張する減圧弁又は膨張弁である。膨張部７５は、例えば開度が調整される電子式膨張弁である。室内熱交換器７６は、例えば室内空気と冷媒との間で熱交換するものである。室内熱交換器７６は、冷房運転時には蒸発器として作用し、暖房運転時には凝縮器として作用する。室内送風機７７は、室内熱交換器７６に室内空気を送る機器である。
【００１２】
（運転モード、冷房運転）
次に、空気調和機１００の運転モードについて説明する。先ず、冷房運転について説明する。冷房運転において、圧縮機７１に吸入された冷媒は、圧縮機７１によって圧縮されて高温高圧のガス状態で吐出する。圧縮機７１から吐出された高温高圧のガス状態の冷媒は、流路切替装置７２を通過して、凝縮器として作用する室外熱交換器７３に流入し、室外熱交換器７３において、室外送風機７４によって送られる室外空気と熱交換されて凝縮液化する。凝縮された液状態の冷媒は、膨張部７５に流入し、膨張部７５において膨張及び減圧されて低温低圧の気液二相状態の冷媒となる。そして、気液二相状態の冷媒は、蒸発器として作用する室内熱交換器７６に流入し、室内熱交換器７６において、室内送風機７７によって送られる室内空気と熱交換されて蒸発ガス化する。このとき、室内空気が冷やされ、室内において冷房が実施される。蒸発した低温低圧のガス状態の冷媒は、流路切替装置７２を通過して、圧縮機７１に吸入される。
【００１３】
（運転モード、暖房運転）
次に、暖房運転について説明する。暖房運転において、圧縮機７１に吸入された冷媒は、圧縮機７１によって圧縮されて高温高圧のガス状態で吐出する。圧縮機７１から吐出された高温高圧のガス状態の冷媒は、流路切替装置７２を通過して、凝縮器として作用する室内熱交換器７６に流入し、室内熱交換器７６において、室内送風機７７によって送られる室内空気と熱交換されて凝縮液化する。このとき、室内空気が暖められ、室内において暖房が実施される。凝縮された液状態の冷媒は、膨張部７５に流入し、膨張部７５において膨張及び減圧されて低温低圧の気液二相状態の冷媒となる。そして、気液二相状態の冷媒は、蒸発器として作用する室外熱交換器７３に流入し、室外熱交換器７３において、室外送風機７４によって送られる室外空気と熱交換されて蒸発ガス化する。蒸発した低温低圧のガス状態の冷媒は、流路切替装置７２を通過して、圧縮機７１に吸入される。
【００１４】
図２は、本発明の実施の形態１に係る室内機２及びリモートコントローラ１を示す斜視図である。リモートコントローラ１は、室内機２との間で双方向の通信を行う。図２に示すように、リモートコントローラ１は、リモートコントローラ１に設けられたフィルタ３を介して、室内機２との間で情報の送受信を行う。本実施の形態１では、リモートコントローラ１は、内蔵されたモードとして、通常モードと故障モードとを有している。通常モードは、空気調和機１００が冷房運転又は暖房運転を行う際に利用する通常時のモードである。故障モードは、室外機６又は室内機２の故障を診断するモードである。室外機６又は室内機２が故障している可能性がある場合、ユーザは、リモートコントローラ１から室内機２に、室外機６又は室内機２の故障を診断するよう指示を出すと、リモートコントローラ１は、通常モードから故障モードに移行する。
【００１５】
リモートコントローラ１と室内機２とは、空調関連の信号を用いた通信を行う。空調関連の信号によって、例えば冷房運転と暖房運転との切り替えを行う運転切替コマンド、設定温度の情報及び空気調和機１００で測定される室内の温度の情報等の空調関連情報が伝達される。例えば、暖房運転が行われている場合、ユーザがリモートコントローラ１の運転切替ボタンを押すと、リモートコントローラ１は、室内機２に対して暖房運転から冷房運転に切り替える運転切り替えコマンドを、空調関連の信号として送信する。室内機２が、運転切替コマンドの空調関連の信号を受信すると、空気調和機１００は、暖房運転から冷房運転への切り替えを行う。
【００１６】
図３は、本発明の実施の形態１に係る空気調和機１００のハードウエア構成図である。図３に示すように、室内機２は、室内側送受信ユニット２０と、室内側制御装置２３とを有する。室内側送受信ユニット２０は、リモートコントローラ１と情報の送受信を行うものであり、室内側送信部２１と、室内側受信部２２とを有している。室内側送信部２１は、送信モジュールである発光ダイオードを有しており、発光ダイオードは、赤外線の照射及び非照射を組み合わせて空調関連の信号を送信する。室内側受信部２２は、受信モジュールであるフォトダイオードを有しており、フォトダイオードは、発光ダイオードが照射する赤外線を受光し、赤外線の照射及び非照射に対応する電気信号を発生させる。室内側制御装置２３は、室内側送信部２１の発光ダイオードの照射及び非照射を実施させる電気信号を送信する。また、室内側制御装置２３は、室内側受信部２２からの電気信号を受信する。
【００１７】
リモートコントローラ１は、リモコン側送受信ユニット１０と、操作部５と、表示部４と、制御部１３とを備えている。リモコン側送受信ユニット１０は、室内機２と情報の送受信を行うものであり、リモコン側送信部１１と、リモコン側受信部１２とを有している。リモコン側送信部１１は、送信モジュールである発光ダイオードを有しており、発光ダイオードは、赤外線の照射及び非照射を組み合わせて空調関連の信号を送信する。リモコン側受信部１２は、受信モジュールであるフォトダイオードを有しており、フォトダイオードは、発光ダイオードが照射する赤外線を受光し、赤外線の照射及び非照射に対応する電気信号を発生させる。
【００１８】
図４は、本発明の実施の形態１に係る空気調和機１００の操作部５を示す模式図である。図４に示すように、操作部５は、運転停止ボタン４４と、温度設定ボタン４０と、風速設定ボタン４１と、風向設定ボタン４２と、タイマーオンボタン４５と、タイマーオフボタン４６と、時間設定ボタン４３と、故障モードボタン４７とを有している。運転停止ボタン４４は、空気調和機１００の運転又は停止を指示するボタンである。温度設定ボタン４０は、室内機２の設定温度を設定するボタンである。
【００１９】
風速設定ボタン４１は、室内機２が室内に送る空気の速度を設定するボタンである。風向設定ボタン４２は、室内機２が室内に送る空気の方向を設定するボタンである。タイマーオンボタン４５は、設定された時刻に自動的に空気調和機１００が運転を開始する入タイマーを設定するボタンである。タイマーオフボタン４６は、設定された時刻に自動的に空気調和機１００の運転が停止する切タイマーを設定するボタンである。時間設定ボタン４３は、入タイマー及び切タイマーの時刻を設定するボタンである。
【００２０】
故障モードボタン４７は、先端が細いものでのみ押下が可能なボタンであり、押下されるとリモートコントローラ１が故障モードに移行する。なお、本実施の形態１では、故障モードボタン４７を使用する場合について例示しているが、誤操作を防止する機能を有していれば、そのほかの構成としてもよい。例えば、ユーザが複数のボタンを同時に押す多重押しにより、リモートコントローラ１が故障モードに移行するようにしてもよい。更に、ユーザが複数のボタンを予め決められた順序で押下することにより、リモートコントローラ１が故障モードに移行するようにしてもよい。
【００２１】
図５は、本発明の実施の形態１に係る空気調和機１００の通常モード時の表示部４を示す模式図である。図５に示すように、表示部４は、例えば表示画素と同型の透明電極が印刷されたセグメント式のＬＣＤである。表示部４は、第１のセグメント表示部５４と、第２のセグメント表示部５０と、風速表示部５１と、風向表示部５５とを有している。第１のセグメント表示部５４は、７セグメントが２個以上並べられており、現在時刻又はタイマー時刻を表示する。図５には、第１のセグメント表示部５４の一例として、「１２：２４」という時刻が表示されている。
【００２２】
第２のセグメント表示部５０は、７セグメントが２個並べられており、室内機２の設定温度を表示する。ここで、第２のセグメント表示部５０は、第１のセグメント表示部５４よりも大きい。これにより、ユーザは、室内機２の設定温度を見易くなる。なお、第２のセグメント表示部５０は、７セグメントが２個以上並べられていればよい。図５には、第２のセグメント表示部５０の一例として、「２２℃」という設定温度が表示されている。
【００２３】
風速表示部５１は、室内機２が室内に送る空気の速度を表示する。風向表示部５５は、室内機２が室内に送る空気の方向を表示する。風向表示部５５は、垂直方向表示部５２と水平方向表示部５３とを有する。垂直方向表示部５２は、室内機２に対し垂直方向の風向を表示する。水平方向表示部５３は、室内機２に対し水平方向の風向を表示する。
【００２４】
制御部１３は、リモコン側送信部１１の発光ダイオードの照射及び非照射を実施させる電気信号を送信する。また、制御部１３は、リモコン側受信部１２からの電気信号を受信する。ここで、ユーザが、リモートコントローラ１から室内機２に、室外機６又は室内機２の故障を診断するよう指示を出すと、室内機２から、診断内容を表示するエラーコードが送信され、リモートコントローラ１は、受信したエラーコードを表示する。
【００２５】
リモートコントローラ１が、室内機２の故障を診断する送信コードを送信すると、室内機２は直ちに自身の故障状態を診断し、診断結果を示すエラーコードをリモートコントローラ１に送信する。一方、リモートコントローラ１が、室外機６の故障を診断する送信コードを送信すると、室内機２は、室外機６と通信する。室外機６は、自身の故障状態を診断し、診断結果を室内機２に送信する。室外機６の診断結果を受信した室内機２は、室外機６の診断結果を示すエラーコードをリモートコントローラ１に送信する。従って、室外機６を診断する方が、室内機２を診断するよりも、室内機２と室外機６との通信が必要な分、若干時間がかかる。
【００２６】
また、リモートコントローラ１は、室外機６又は室内機２のいずれの故障を診断するかを示す送信コードも表示する。なお、本実施の形態１では、送信コードは、例えば室外機６の故障を診断する場合、２５であり、室内機２の故障を診断する場合、２４であるが、送信コードは適宜変更することができる。また、送信コードは、室外機６及び室内機２の故障に限らず、そのほかの機能に個別に設定されてもよい。制御部１３は、リモートコントローラ１が故障モードに移行すると、操作部５の一部の機能を変更する。例えば、制御部１３は、故障モード時に、運転停止ボタン４４を、送信コードを送信するボタンに変更する。制御部１３は、故障モード時に、風速設定ボタン４１、風向設定ボタン４２及び時間設定ボタン４３を、送信コードを設定するボタンに変更する。
【００２７】
図６は、本発明の実施の形態１に係る空気調和機１００の故障モード時の表示部４を示す模式図である。制御部１３は、リモートコントローラ１が故障モードに移行すると、表示部４の一部の機能を変更する。図６に示すように、制御部１３は、故障モード時に、送信コードを第１のセグメント表示部５４に表示させる。図６では、一例として、室内機２の故障を診断する送信コード「２４」が表示されている。また、制御部１３は、故障モード時に、風速表示部５１及び風向表示部５５の全てのセグメントを点灯させるものである。なお、図６は、リモートコントローラ１が送信コードを送信する前の表示部４を示すものであり、第２のセグメント表示部５０には、数値が表示されていない。
【００２８】
図７は、本発明の実施の形態１に係る空気調和機１００の故障モード時の表示部４を示す模式図である。図７に示すように、制御部１３は、故障モード時に、エラーコードを第２のセグメント表示部５０に表示させる。図７では、一例として、エラーコード「８２」が表示されている。なお、図７は、リモートコントローラ１が送信コードを送信した後、室内機２から送信されたエラーコードを受信することによって、第２のセグメント表示部５０にエラーコードが表示される。
【００２９】
図８は、本発明の実施の形態１に係るリモートコントローラ１の故障モード時の動作を示すフローチャートである。次に、リモートコントローラ１の故障モード時の動作について説明する。図８に示すように、ユーザが故障の診断を必要と判断すると、ユーザは、故障モードボタン４７を押下する（ステップＳ１０１）。なお、この段階では、リモートコントローラ１が故障モードに移行するが、リモートコントローラ１が直ちに信号を室内機２に送信しない。
【００３０】
ユーザが故障モードボタン４７を押下すると、リモートコントローラ１が故障モードに移行し、操作部５及び表示部４が、故障モード時の機能となる（ステップＳ１０２）。風速表示部５１、風向表示部５５及び第１のセグメント表示部５４以外の表示が、消灯する。これにより、ユーザが故障モードであることを認識することができる。また、第２のセグメント表示部５０も消灯する。
【００３１】
次に、制御部１３は、ユーザが何かしらのボタンを押下したかを判定し（ステップＳ１０３）、ボタンが押下されていない場合、ステップＳ１０２に戻る。制御部１３は、ユーザが何かしらのボタンを押下した場合、押下されたボタンが、送信コードを設定する風速設定ボタン４１、風向設定ボタン４２及び時間設定ボタン４３であるかを判定する（ステップＳ１０４）。押下されたボタンが、風速設定ボタン４１、風向設定ボタン４２又は時間設定ボタン４３でない場合、制御部１３は故障モードを解除し、リセット動作が行われる（ステップＳ１０５）。押下されたボタンが、風速設定ボタン４１、風向設定ボタン４２又は時間設定ボタン４３である場合、第１のセグメント表示部５４に表示される送信コードが、「２４」又は「２５」に±１される。即ち、風速設定ボタン４１、風向設定ボタン４２又は時間設定ボタン４３が押下されることによって、送信コードが１上下する。そして、ユーザが運転停止ボタン４４を押下すると、リモートコントローラ１は室内機２に送信コードを送信する（ステップＳ１０６）。このとき、リモートコントローラ１は、室内機２に、エラーコードを返信するように送信要求信号を送信する。
【００３２】
そして、制御部１３は時間をカウントし、予め定められた受信待機設定時間が経過するまでに（ステップＳ１０７）、室内機２からエラーコードが返信されなかった場合、制御部１３は、第２のセグメント表示部５０に送受信エラーのコードを表示する（ステップＳ１０８）。受信待機設定時間が経過する前に、室内機２からエラーコードを受信した場合、制御部１３は、エラーコードが送信コードに関する予め設定された情報であるかを判定する（ステップＳ１０９）。エラーコードが、送信コードに関する予め設定された情報と差異がある場合、制御部１３は、第２のセグメント表示部５０に送受信エラーのコードを表示する（ステップＳ１０８）。一方、エラーコードが、送信コードに関する予め設定された情報と差異がない場合、制御部１３は、エラーコードと予め設定されていた信号との照合を行い、第２のセグメント表示部５０にエラーコードを表示する（ステップＳ１１０）。
【００３３】
本実施の形態１によれば、制御部１３は、故障モードにおいて、送信コードを第１のセグメント表示部５４に表示させ、エラーコードを第２のセグメント表示部５０に表示させる。このように、空気調和機１００のリモートコントローラ１は、ドットマトリクス表示部よりも安価なセグメント表示部を用いてリモートコントローラ１の大型化を抑制しても、送信コード及びエラーコードを表示することができる。これにより、配線及び素子を小型化することができるため、リモートコントローラ１全体を小型化することができる。従って、ユーザは、機能が同等のリモートコントローラ１を、廉価で入手し、使用することができる。また、第２のセグメント表示部５０は、第１のセグメント表示部５４よりも大きいため、ユーザは、第２のセグメント表示部５０に表示されたエラーコードを視認し易い。
【００３４】
なお、本実施の形態１では、リモートコントローラ１が故障モードに移行した際、ユーザが運転停止ボタン４４を押下するまで、リモートコントローラ１は室内機２に送信コードを送信しない。しかし、これに限らず、リモートコントローラ１が故障モードに移行した際、リモートコントローラ１が自動的に送信コードを室内機２に送信してもよい。この場合、送信される際のデフォルトの送信コードは、例えば室内機２の故障を診断する送信コードとすることが好ましい。これは、室内機２の故障診断の方が、室外機６の故障診断よりも、室内機２と室外機６との通信が省略される分、迅速に完了することによる。リモートコントローラ１が、室内機２の故障を診断する送信コードを室内機２に送信して、エラーコードを受信した後、ユーザが室外機６の故障を診断する送信コードに変更して、再度、リモートコントローラ１が送信コードを室内機２に送信すればよい。
【００３５】
また、本実施の形態１では、表示部４が複数のセグメント表示部を有する場合について例示しているが、表示部４がドットマトリクス表示部を有していてもよい。この場合、制御部１３は、室内機２から受信した複数種類の運転情報をドットマトリクス表示部に順次切り替えて表示させる。更に、本実施の形態１では、送信モジュールが発光ダイオードであり、受信モジュールがフォトダイオードであり、赤外線を用いて室内機２とリモートコントローラ１とが通信する場合について例示している。なお、赤外線を用いて通信を行うために用いられる送信モジュールは発光ダイオードに限らない。また、赤外線を用いて通信を行うために用いられる受信モジュールは、フォトダイオードに限らず、フォトトランジスタ、熱電素子又は焦電素子としてもよい。また、送受信モジュールとして、Ｂｌｕｅｔｏｏｔｈ（登録商標）又はＷｉ−Ｆｉ（登録商標）等のモジュールを用いてもよい。この場合、リモートコントローラ１に設けられたフィルタ３が不要となる。
【符号の説明】
【００３６】
１  リモートコントローラ、２  室内機、３  フィルタ、４  表示部、５  操作部、６  室外機、１０  リモコン側送受信ユニット、１１  リモコン側送信部、１２  リモコン側受信部、１３  制御部、２０  室内側送受信ユニット、２１  室内側送信部、２２  室内側受信部、２３  室内側制御装置、４０  温度設定ボタン、４１  風速設定ボタン、４２  風向設定ボタン、４３  時間設定ボタン、４４  運転停止ボタン、４５  タイマーオンボタン、４６  タイマーオフボタン、４７  故障モードボタン、５０  第２のセグメント表示部、５１  風速表示部、５２  垂直方向表示部、５３  水平方向表示部、５４  第１のセグメント表示部、５５  風向表示部、７０  冷媒回路、７１  圧縮機、７２  流路切替装置、７３  室外熱交換器、７４  室外送風機、７５  膨張部、７６  室内熱交換器、７７  室内送風機、１００  空気調和機。
【図１】
2019244356.tif 000003
【図２】
2019244356.tif 000004
【図３】
2019244356.tif 000005
【図４】
2019244356.tif 000006
【図５】
2019244356.tif 000007
【図６】
2019244356.tif 000008
【図７】
2019244356.tif 000009
【図８】
2019244356.tif 000010
【国際調査報告】
2019244356.tif 000011
2019244356.tif 000012
2019244356.tif 000013
2019244356.tif 000014